(57)【要約】【課題】肌に直接触れても嫌悪感を抱かせることなく、デザイン性に優れた防水生地を提供する。【解決手段】肌が触れる側に位置する第１接触面（内面１０ａ）と反対側に位置する第１積層面（外面１０ｂ）を有する第１布（内側布１０）と、該第１布の第１積層面に積層配置される通気性を有する防止シート１３とを有する防止生地Ｍ１，Ｍ２，Ｍ３であって、前記第１布の第１積層面に、文字や模様などからなるプリント部１１を前記第１接触面から滲出させることなく設け、該プリント部１１を第１布の第１接触面の側から透視可能に設ける。【選択図】図１
2010131967.tif 000002
【特許請求の範囲】
【請求項１】
肌が触れる側に位置する第１接触面と反対側に位置する第１積層面を有する第１布と、該第１布の第１積層面に積層配置される通気性を有する防止シートとを有する防止生地であって、
前記第１布の第１積層面に、文字や模様などからなるプリント部を前記第１接触面から滲出させることなく設け、該プリント部を第１布の第１接触面の側から透視可能としたことを特徴とする防水生地。
【請求項２】
前記第１布と前記防水シートとを一体的に接着してなることを特徴とする請求項１に記載の防水生地。
【請求項３】
前記防水シートの前記第１布と反対側に位置する面に、更に第２布を積層配置したことを特徴とする請求項１または請求項２に記載の防水生地。
【請求項４】
前記防水シートは、前記第１布に施した前記プリント部を第２布の側から透視不可能なものであることを特徴とする請求項３に記載の防水生地。
【請求項５】
前記第２布は、肌が触れる側に位置する第２接触面と、前記防水シートの側に位置する第２積層面を有し、前記第２積層面に文字や模様などからなるプリント部を前記第２接触面から滲出させることなく設け、該プリント部を第２布の第２接触面の側から透視可能としたことを特徴とする請求項４に記載の防水生地。
【請求項６】
前記プリント部は、布に着色剤を付着させて設けたものであることを特徴とする請求項１乃至請求項５のいずれか１項に記載の防水生地。
【発明の詳細な説明】
【技術分野】
【０００１】
本発明は、身体の肌に直接触れる可能性があり、肌着としても使用可能な防水生地に関するものである。
【背景技術】
【０００２】
この種の防水生地は、主に女性用の生理用ショーツの内側股下布として使用されるものである。この生理用ショーツは、前側布と後側布と股下布とを備え、これらの端部を縫い合わせることにより縫製されている。股下布は、身体の肌（陰部）に触れる内側股下布と、この内側股下布の外側に縫合される外側股下布とからなる。そして、これらは、身体の腿の側に位置する両側縁は縫い合わせることなく、前側布および後側布と縫い合わされる部分だけが縫合されている。これにより、内側股下布において肌の側に位置する内面側上に生理用ナプキンを配置し、外面側にウイング部を折り返して貼着することにより、装着状態で外観を損なうことを防止している。
【０００３】
特許文献１のショーツは、内側股下布を構成する防水生地として、内側に位置する布と、布の外面側に位置する防水シートとを有するものを使用している。そのため、身体から排泄された液体を生理用ナプキンで吸収できず、内側股下布に付着しても、外側股下布に付着しないように構成している。
【０００４】
しかしながら、このような防水生地を使用したショーツは、文字や模様などのプリントが何ら施されていない。そのため、デザイン性に乏しく、着用者の購買意欲を促進できない。この問題を解消するには、防水生地の内側布に模様や文字などのプリント部を設けることが考えられる。ここで、このプリント部を設けるための顔料や染料は、基本的に人体には影響を与えないものでなければならない。しかし、プリント面が触れる箇所は、人体の極めて敏感かつ重要な部分であるため、気持ち悪いという嫌悪感を抱かせるという問題がある。
【先行技術文献】
【特許文献】
【０００５】
【特許文献１】特開２００３−６４３号公報
【発明の概要】
【発明が解決しようとする課題】
【０００６】
本発明は、従来の問題に鑑みてなされたもので、肌に直接触れても嫌悪感を抱かせることなく、デザイン性に優れた防水生地を提供することを課題とするものである。
【課題を解決するための手段】
【０００７】
前記課題を解決するため、本発明の防水生地は、肌が触れる側に位置する第１接触面と反対側に位置する第１積層面を有する第１布と、該第１布の第１積層面に積層配置される通気性を有する防止シートとを有する防止生地であって、前記第１布の第１積層面に、文字や模様などからなるプリント部を前記第１接触面から滲出させることなく設け、該プリント部を第１布の第１接触面の側から透視可能とした構成としている。
【０００８】
この防水生地によれば、第１布の第１積層面に、第１接触面の側から透視可能なプリント部を設けているため、装飾設計の自由度を向上でき、デザイン性の優れたものを提供できる。また、プリント部は、第１布の第１積層面側に第１接触面から滲出させることなく設けているため、直接肌に触れる部分に使用しても嫌悪感を抱かせることはない。勿論、購入者は、プリント部が第１接触面に施されていないことを、彩度により明瞭に判断できる。そのため、この防水生地は、肌着用の生地として使用したり、月経時に使用するシーツや敷物として使用することが可能であり、汎用性が極めて高い。
【０００９】
この防水生地では、前記第１布と前記防水シートとを一体的に接着することが好ましい。このようにすれば、１枚の生地と何ら変わりはないため、取り扱いに係る利便性を向上できる。
【００１０】
また、前記防水シートの前記第１布と反対側に位置する面に、更に第２布を積層配置することが好ましい。このようにすれば、生理用ショーツの内側股下布として使用する場合に、生理用ナプキンのウイング部の粘着剤が防水シートに付着したり、粘着力により防水シートが破損することを防止できる。また、シーツや敷物として使用する場合も同様に、防水シートが破損することを防止できる。
【００１１】
さらに、前記防水シートは、前記第１布に施した前記プリント部を第２布の側から透視不可能なものであることが好ましい。
この場合、前記第２布は、肌が触れる側に位置する第２接触面と、前記防水シートの側に位置する第２積層面を有し、前記第２積層面に文字や模様などからなるプリント部を前記第２接触面から滲出させることなく設け、該プリント部を第２布の第２接触面の側から透視可能とすることが好ましい。
このようにすれば、１枚の生地にも拘わらず、両接触面に異なるプリント部を設けることができる。そのため、リバーシブルで楽しめる肌着、シーツおよび敷物を提供することが可能になる。
【００１２】
なお、前記プリント部は、布に着色剤を付着させて設けたものである。このようにすれば、この防水生地からなる肌着、シーツおよび敷物を洗濯する際に、他の衣服にプリント部の色が移染したり、色落ちしたりすることを抑制できるため、染色堅牢度を高めることができる。
【発明の効果】
【００１３】
本発明の防水生地では、第１布の第１積層面に第１接触面から透視可能なプリント部を設けているため、デザイン性を向上できる。また、プリント部は、肌が触れる可能性がある第１布の第１接触面まで滲出させることなく設けているため、肌着用の生地として使用した場合に、着用者に嫌悪感を抱かせることはない。そのため、販売促進効果を得ることができる。勿論、この防水生地は、肌着用に限られず、シーツや敷物として使用しても同様の効果を得ることができる。
【図面の簡単な説明】
【００１４】
【図１】本発明に係る第１実施形態の防水生地を示し、（Ａ）は断面図、（Ｂ）は平面図、（Ｃ）は底面図である。
【図２】図１（Ａ）の防水生地を分解した断面図である。
【図３】防水生地の変形例を示す断面図である。
【図４】（Ａ），（Ｂ）は防水生地の使用例を示す斜視図である。
【図５】第２実施形態の防水生地を示し、（Ａ）は断面図、（Ｂ）は平面図、（Ｃ）は底面図である。
【図６】第３実施形態の防水生地を示し、（Ａ）は断面図、（Ｂ）は平面図、（Ｃ）は底面図である。
【図７】本発明の防水生地の他の使用例を示す斜視図である。
【図８】本発明の防水生地の更に他の使用例を示す斜視図である。
【発明を実施するための形態】
【００１５】
以下、本発明の実施の形態を図面に従って説明する。
【００１６】
図１（Ａ），（Ｂ），（Ｃ）および図２は、本発明の第１実施形態に係る防水生地Ｍ１を示す。この防水生地Ｍ１は、図１（Ａ）に示すように、身体の肌に直接触れる第１布である内側布１０と、この内側布１０の外側に積層配置した防水シート１３とを備え、これらを接着層１４で固着したものである。そして、本実施形態では、内側布１０に、肌が触れる内面側から透視できるように外面側にプリント部１１を設けたものである。
【００１７】
前記内側布１０は、通気性および通水（吸湿）性を有するもので、木綿、麻、レーヨン、羊毛、絹、ポリエステル、ナイロン、ビニロン、アセテートなどの生地からなる。本実施形態では、これらのうち、洗濯によって汚れを容易に落とすことが可能なポリエステル生地を使用している。この内側布１０は、防水シート１３に対して逆側に位置する内面１０ａが肌に触れる第１接触面を構成し、反対側（防水シート１３の側）の外面１０ｂが第１積層面を構成する。
【００１８】
前記プリント部１１は、内側布１０の外面１０ｂに着色剤を付着させ、希望に応じた模様や文字などを形成したものである。このプリント部１１は、顔料および染料を用いたプリント、転写プリント、ラッカープリントなどにより形成される。そのうち、通気性および通水性を考慮すると、顔料および染料を用いたプリントが好ましい。ここで、プリント部１１を形成するための着色剤は、外面１０ｂから内面１０ａに向けて浸透するが、内面１０ａの表面からは滲出しないように、組成や付着量などが設定されている。また、硬化状態で接着剤による接着を阻害しない組成のものが使用される。これにより、プリント部１１には、内側布１０に対して外面１０ｂから内面１０ａに向けた所定範囲に、着色剤が浸透した浸透部１２が形成される。この浸透部１２は、できる限り内面１０ａ近傍まで浸透するように設け、内面１０ａ側からプリント部１１を透視した際の彩度が明瞭になるようにすることが好ましい。また、プリント部１１は、外面１０ｂの表面には、層となって付着している。なお、プリント部１１は、図示のように、内側布１０の全面に施すことも可能であるが、洗濯に伴う色落ち（プリント部１１の劣化）を考慮すると、図３に示すように、内側布１０には着色剤が付着していない非プリント部を形成し、その部分では、内側布１０と防水シート１３とが直接接着するように構成することが好ましい。
【００１９】
なお、着色剤として使用する染料は、直接染料、酸性染料、含食染料、塩基性染料、カチオン染料、酸性媒染染料、硫化染料、バット染料、可溶性バット染料、ナフトール染料、顕色型分散染料、分散染料、反応染料および蛍光染料など、種々のものが使用可能である。そして、これらの染料は、内側布１０の生地に応じて使用される。例えば、内側布１０としてポリエステル生地を使用する場合、分散染料を使用する。
【００２０】
前記防水シート１３は、図１（Ａ）および図２に示すように、ウレタン樹脂やナイロン樹脂などからなるフィルム状のもので、通気性を有するとともに防水性を有するものである。この防水シート１３は乳白色であり、内側布１０の全面を覆うように、外面１０ｂ側に敷設されている。これにより、この防水シート１３を透して内側布１０に設けたプリント部１１を透視不可能に構成している。
【００２１】
前記接着層１４は、プリント部１１を設けた内側布１０と防水シート１３とを一体的に接着するものである。この接着層１４は、２液硬化型ポリウレタン樹脂組成物からなる接着剤が硬化することにより形成される。
【００２２】
このように構成した防水生地Ｍ１は、接着層１４により内側布１０と防水シート１３とを一体的に接着しているため、１枚の生地と何ら変わらず、取り扱いは簡単である。また、図１（Ｂ）に示すように、内側布１０の内面１０ａの側から目視すると、外面１０ｂの側に設けたプリント部１１を透視できる。一方、図１（Ｃ）に示すように、防水シート１３の側から目視すると、内側布１０に設けたプリント部１１は透視できない。
【００２３】
そして、プリント部１１は、内側布１０の外面１０ｂ側に着色剤を付着させて設けたものであるため、他の衣服にプリント部１１の色が移染したり、色落ちしたりすることを抑制でき、染色堅牢度を高めることができる。また、内側布１０の内面１０ａ側からは滲出させることなく設けているため、直接肌に触れる部分に使用しても嫌悪感を抱かせることはない。そして、プリント部１１を構成する着色剤が内面１０ａから滲出していないことは、彩度により明瞭に判断できる。そのため、この防水生地Ｍ１は、図４（Ａ），（Ｂ）に示すように、肌着の１種である生理用ショーツ１の内側股下布５として使用することができる。
【００２４】
ここで、この生理用ショーツ１は、従来と同様に、前側布２と後側布３と股下布４とを備え、これらの端部を縫い合わせることにより縫製したものである。そして、股下布４は、身体の肌（陰部）に触れる内側股下布５と、この内側股下布５の外側に縫合される外側股下布６とからなる。これら内側股下布５と外側股下布６とは、両側縁は縫い合わせることなく、前側布２および後側布３と縫い合わされる端縁だけが縫合されている。そして、内側股下布５には生理用ナプキン７が配置され、外側股下布６との間にウイング部８が折り返されて貼着されるものである。
【００２５】
そして、防水生地Ｍ１を生理用ショーツ１の内側股下布５として使用した場合、排泄された液体が生理用ナプキン７から漏れ（滲出）ても、防水シート１３で漏れを防止する機能を十分に確保できる。しかも、通常では表出しない部分にも透視可能なプリント部１１が設けられているため、装飾設計の自由度を向上でき、デザイン性の優れたものとすることができる。また、プリント部１１の色彩によっては、経血や尿が内側布１０に付着しても、その汚れが目立たないようにすることもできる。そのため、充分な販売促進効果を得ることができる。
【００２６】
図５（Ａ），（Ｂ），（Ｃ）は第２実施形態の防水生地Ｍ２を示す。この第２実施形態では、防水シート１３の外面側に第２布として外側布１５を更に積層配置した点で、第１実施形態と大きく相違している。この外側布１５は、内側布１０と同様の生地からなり、本実施形態では、図５（Ｃ）に示すように、編み目が粗いメッシュ状をなすものを使用している。なお、この外側布１５は、防水シート１３に対して接着剤による接着は行っていない。
【００２７】
このように構成した第２実施形態の防水生地Ｍ２は、第１実施形態と同様の作用および効果を得ることができる。しかも、図４（Ａ），（Ｂ）に示す生理用ショーツ１の内側股下布５として使用した場合、生理用ナプキン７のウイング部８が外側布１５に貼着されることになる。そのため、図４（Ｂ）中破線で示すウイング部８の粘着剤が防水シート１３に付着したり、粘着力により防水シート１３が破損することを防止できる。
【００２８】
図６（Ａ），（Ｂ），（Ｃ）は第３実施形態の防水生地Ｍ３を示す。この第３実施形態では、防水シート１３の外面側に配設する外側布１５を内側布１０と同一の生地により構成し、この外側布１５にもプリント部１１Ｂを設けた点で、各実施形態と相違している。
【００２９】
具体的には、図６（Ａ）に示すように、第３実施形態では、内側布１０には、第１実施形態と同様に、第１積層面である外面１０ｂ側から着色剤を付着させることにより、プリント部１１Ａが形成されている。そして、この内側布１０は、防水シート１３に対して接着剤が硬化してなる接着層１４Ａにより接着されている。
【００３０】
また、外側布１５には、防水シート１１の側に位置する第２積層面である内面１５ａの側から着色剤を付着させ、肌が触れる側に位置する第２接触面である外面１５ｂから滲出しないように、プリント部１１Ｂが形成されている。このプリント部１１Ｂは、プリント部１１Ａとは異なる模様や文字により構成されている。そして、この外側布１５は、防水シート１３に対して接着剤が硬化してなる接着層１４Ｂにより接着されている。
【００３１】
このように構成した第３実施形態の防水生地Ｍ３は、各実施形態と同様の作用および効果を得ることができる。しかも、図６（Ｂ）に示すように、内側布１０の側から目視すると、外面１０ｂの側に設けたプリント部１１Ａを透視できる。一方、図６（Ｃ）に示すように、外側布１５の側から目視すると、内面１５ａの側に設けたプリント部１１Ｂを透視できる。しかも、防水シート１３によって逆側に位置するプリント部１１Ｂ，１１Ａが透視不可能である。
【００３２】
そのため、一体化された１枚の生地にも拘わらず、裏表の両方に異なるプリント部１１Ａ，１１Ｂを設けることができる。そのため、その日の気分によってプリント部１１Ａ，１１Ｂを選択可能な、リバーシブルの肌着（シャツ）を提供することが可能になる。
【００３３】
なお、本発明の防水生地Ｍ１，Ｍ２，Ｍ３は、前記実施形態の構成に限定されるものではなく、種々の変更が可能である。
【００３４】
例えば、本発明の防水生地Ｍ１，Ｍ２，Ｍ３を図４に示す生理用ショーツ１に使用する場合には、縫合により内側布１０と防水シート１３、および、防水シート１３と外側布１５を一体化できるため、接着剤により接着しない構成としてもよい。
【００３５】
また、前記実施形態では、本発明の防水生地Ｍ１，Ｍ２，Ｍ３を生理用ショーツ１やシャツ等の肌着に適用したが、肌着以外の使途にも使用しても同様の作用および効果を得ることができる汎用性が極めて高いものである。
【００３６】
例えば、図７に示すように、月経時や乳児の布団に敷くシーツ２０として使用することができる。このシーツは、中央に第１実施形態から第３実施形態に示すいずれかの防水生地Ｍ１，Ｍ２，Ｍ３からなるシーツ本体２１を備え、その両端に、布団に巻き込んで位置決めするための巻込部２２を備えている。そして、このように構成したシーツ２０は、体内から排泄される液状物（経血や尿）が漏出した場合に、布団を汚すことを防止できる。また、シート２０には、プリント部１１（１１Ａ，１１Ｂ）が設けられているため、経血や尿が付着しても汚れが目立たないようにすることもできる。
【００３７】
勿論、図８に示すように、ハンカチの如き大きさとして、任意の場所に座る時に使用する敷物２５としても使用することができる。この敷物２５は、例えばサウナ等の裸で座る必要がある時に、その場所の衛生面を気にする必要がないため、好適に使用できる。
【００３８】
また、これらのようにシーツ２０や敷物２５として使用する場合には、第２および第３実施形態に示すように、防水シート１３の両面を布１０，１５で被覆した防水生地Ｍ２，Ｍ３を適用すれば、防水シート１３の破損を防止できるため、好ましい。
【符号の説明】
【００３９】
Ｍ１，Ｍ２，Ｍ３…防水生地
１０…内側布（第１布）
１０ａ…内面（第１接触面）
１０ｂ…外面（第１積層面）
１１，１１Ａ，１１Ｂ…プリント部
１２…浸透部
１３…防水シート
１４，１４Ａ，１４Ｂ…接着層
１５…外側布（第２布）
１５ａ…内面（第２積層面）
１５ｂ…外面（第２接触面）
【図１】
2010131967.tif 000003
【図２】
2010131967.tif 000004
【図３】
2010131967.tif 000005
【図４】
2010131967.tif 000006
【図５】
2010131967.tif 000007
【図６】
2010131967.tif 000008
【図７】
2010131967.tif 000009
【図８】
2010131967.tif 000010